(57)【特許請求の範囲】
【請求項１】
画像を表示する表示装置であって、
画像を表示する画像表示手段と
音声を出力する音声出力手段と、
前記画像表示手段と前記音声出力手段の相対位置を変更する変更手段と、
前記音声出力手段を前記画像表示手段に対して固定する固定手段と、
前記変更手段と前記固定手段を動作させる操作手段とを備え、
前記変更手段は、テレビ放送電波に含まれる放送コードを検知する検知手段を備え、
前記検知手段で検知された放送コードに基づいて、前記画像表示手段と前記音声出力手段の相対位置を変更する
ことを特徴とする表示装置。
【発明の詳細な説明】
【０００１】
【発明の属する技術分野】
本発明は音声出力手段を備えたテレビ受像機のスピーカシステムに関するものである。
【０００２】
【従来の技術】
従来のステレオ対応テレビ受像機等の表示装置では、画面の左右近傍の画像表示部と同一筐体内にスピーカを固定配置している。また、映画やスポーツ番組を見る臨場感を求める視聴者に対しては、筐体の複数の面に多数のスピーカを配置したり（特開平０６−１０５２５７）、指向特性の異なるスピーカを複数配置したり（特開平０６−１９７２９３）などの構造が提供されている。また、臨場感を出すために、電気的な信号処理により、音声信号の位相を変えたり、擬似的に残響音を混ぜるなどの様々な方法が取られてきた。更に、臨場感を求める視聴者に対しては、外部スピーカを追加するシステムも提供されている。更に、内蔵スピーカが上下左右に移動する構造も提案されている。
【０００３】
【発明が解決しようとする課題】
しかしながら、上記従来例では、左右の音源位置はそのその画面サイズに応じた左右スピーカ距離に限定されるため、臨場感に乏しく、これに満足できない視聴者は別に外部スピーカを準備しなければならなかった。この場合、設置スペースが必要であったり、専用にスピーカ用の配線をするなどの手間も掛かり、一部のマニアにしか受け入れられていない。更に、近年は画面サイズが４０インチから５０インチと拡大傾向にあるが、家庭やオフィスでの様々な環境下では、視聴者の位置により音源と画面の相対位置が変ることにより、満足のいく臨場感を得ることはできなかった。また、狭い家庭では生活の都合で音場に関係無く、表示装置の置き場所が決まってしまうこともある。また、近年プラズマディスプレイなどの薄型壁掛け表示雄値が提供されてきたが、一度、壁に設置して音源位置が合わない場合に、再度場所を変更するのは困難であった。また、テレビに内蔵したスピーカを視聴者が移動できる支持構造が提供されていても、そのスピーカ調整位置が最も臨場感が味わえるか、判断しかねる場合があったり、手でスピーカ部分を移動する煩わしさがあった。
【０００４】
本発明は上記の問題点に鑑みてなされたものであり、操作性が良く、いかなる視聴者にとっても臨場感あるスピーカ配置を有する表示装置及びその制御方法を提供することを目的とする。
【０００５】
また、遠隔操作の取り扱いを更に便利にして、視聴者にとっても臨場感あるスピーカ配置を有する表示装置及びその制御方法を提供することを目的とする。
【０００６】
【課題を解決するための手段】
上記の目的を達成するための本発明による表示装置は以下の構成を備える。即ち、
また、好ましくは、画像を表示する表示装置であって、
画像を表示する画像表示手段と
音声を出力する音声出力手段と、
前記画像表示手段と前記音声出力手段の相対位置を変更する変更手段と、
前記音声出力手段を前記画像表示手段に対して固定する固定手段と、
前記変更手段と前記固定手段を動作させる操作手段と
を備える。
【０００７】
また、好ましくは、前記操作手段は、遠隔操作で前記変更手段と前記固定手段を動作させる。
【０００８】
また、好ましくは、前記遠隔操作は、無線操作である。
【０００９】
また、好ましくは、前記操作手段に赤外線信号発信手段、前記画像表示手段に赤外線信号受信手段と
を備える。
【００１０】
また、好ましくは、前記操作手段に電波信号送信手段、画像表示手段に電波信号受信手段と
を備える。
【００１１】
また、好ましくは、前記操作手段は、前記画像表示手段で表示される画像の表示を制御する表示画像制御手段と、
前記音声出力手段で出力される音声を制御する音声制御手段と、
前記音声出力手段の配置を制御する配置制御手段と
を備える。
【００１２】
また、好ましくは、前記表示画像制御手段、音声制御手段及び配置制御手段それぞれは、操作ボタンである。
【００１３】
また、好ましくは、前記操作手段は、前記画像表示手段に表示される画像の表示状態、前記音声出力手段で出力される音声の出力状態及び該音声出力手段の配置状態を表示する表示手段と
を備える。
【００１４】
また、好ましくは、前記表示手段は、液晶画像表示器である。
【００１５】
また、好ましくは、前記配置制御手段は、前記音声出力手段を任意の位置に配置するためのデータを記憶する記憶手段を備える。
【００１６】
また、好ましくは、前記変更手段は、前記記憶手段に記憶されるデータに基づいて、前記画像表示手段と前記音声出力手段の相対位置を変更する。
【００１７】
また、好ましくは、前記記憶手段に記憶されるデータは、任意に消去可能である。
【００１８】
また、好ましくは、前記変更手段は、前記赤外線信号発信手段から発信される赤外線信号の発信位置に基づいて、前記画像表示手段と前記音声出力手段の相対位置を変更する。
【００１９】
また、好ましくは、前記変更手段は、前記電波信号発信手段から発信される電波信号の発信位置に基づいて、前記画像表示手段と前記音声出力手段の相対位置を変更する。
【００２０】
また、好ましくは、前記変更手段は、テレビ放送電波に含まれる放送コードを検知する検知手段を備え、
前記検知手段で検知された放送コードに基づいて、前記画像表示手段と前記音声出力手段の相対位置を変更する。
【００２１】
また、好ましくは、前記変更手段は、前記音声出力手段を配置する配置手段と、
前記音声出力手段を収納する収納手段と
を備える。
【００２２】
また、好ましくは、当該表示装置への電源投入で、前記配置手段は前記音声出力手段を配置し、当該表示装置の電源切断で、前記音声出力手段を収納する。
【００２３】
また、好ましくは、前記変更手段は、前記画像表示手段に対して前記音声出力手段を水平方向へ移動する移動手段と、前記画像表示手段の表示面に対して前記音声出力手段を前傾斜または後傾斜する回転手段のいずれか、または両方の手段と
を備える。
【００２４】
また、好ましくは、前記移動手段及び回転手段の駆動はモータを利用する。
【００２５】
また、好ましくは、前記モータにエンコーダを備え、該モータの制御部にエンコーダ信号検出回路と信号記憶メモリと
を備える。
【００２６】
また、好ましくは、前記変更手段は、複数の前記音声出力手段を同時に配置する、または各音声出力手段を個別に配置する配置手段と
を備える。
【００２７】
また、好ましくは、前記画像表示手段は、少なくとも電子放出素子、プラズマ放電素子、あるいは液晶のいずれか一つを含む。
【００２８】
上記の目的を達成するための本発明による表示装置の制御方法は以下の構成を備える。即ち、
画像表示部と音声出力部を有する表示装置の制御方法であって、
操作部からの操作信号を検知する検知工程と、
前記検知工程で検知された操作信号に基づいて、前記画像表示部と前記音声出力部の相対位置を変更する変更工程と
を備える。
【００２９】
【発明の実施の形態】
以下、図面を参照して本発明の好適な実施形態を詳細に説明する。
（実施形態１）
図１、図２、図３は実施形態１の表示装置の外観を示す図である。特に、図１はスピーカ部収納状態を表わし、図２はスピーカ部展開状態を表わし、図３はスピーカ回転状態を表わしている。
【００３０】
図１、図２、図３において、１は薄型テレビ装置の画像表示部、２は左スピーカ部、３は右スピーカ部、４は画像表示部１を壁に設置するための固定金具、５ａは赤外線の受光窓であり、レンズ光学系を利用して赤外線受信部４３に赤外光を導く構造である。５ｂは画像表示部１の本体操作部であり、視聴者が本表示装置を操作するボタン類が蓋の内部に収納（不図示）されている。
【００３１】
６は左上支持棒、７は右上支持棒、８は左下支持棒、９は右下支持棒で、各々の支持棒は画像表示部１と左スピーカ部２、右スピーカ部３を機械的に接続している。１０は左スピーカ部ベース、１１は右スピーカ部ベースであり、先の各支持棒６、７、８、９と固定され、かつ左スピーカ部２、右スピーカ部３の回転動作の支持部材となっている。１２は左スピーカ部ベース１０、右スピーカ部ベース１１に確実に固定された回転軸、１３は左スピーカ部ベース１０、右スピーカ部ベース１１に確実に固定されたロックピン、１４は画像表示部１の側面に配置されたロックピン嵌合部である。
【００３２】
尚、画像表示部１は表面伝導型電子放出素子を用いた装置よりなり、一般的にＳＥＤ（Surface Conduction Emitter）とよばれている。その構造は、真空空隙を形成した対向する基板間において、背面側の後面ガラス板（リアプレート）上に各画素位置に電子放出のための＋電極と−電極を導電性膜で数十［μｍ］の間隔で対向する形に形成する。次に、真空空隙外の電気実装回路からの電気信号を＋電極に導くためのＸ方向配線を印刷法で形成後、Ｙ方向配線とＸ方向配線とを電気的に絶縁するための眉間絶縁層をＸ方向配線上のＹ方向配線とＸ方向配線の交差部に形成する。その後に、真空空隙外の電気実装回路からの電気信号を−電極に導くためのＹ方向配線を印刷法で形成する。更に、＋電極と−電極をつなぐ微粒子からなる導電性薄膜を形成し、＋電極と−電極に電位を与えて電子放出部を導電性薄膜の一部に形成する。一方対向する表面側の前面ガラス板（フェイスプレート）の真空空隙側には、コントラストを向上するためのブラックストライプ膜、三原色ＲＧＢ各色相の蛍光体膜、更に、その上に導電性のメタルバック膜が形成されている。また、この前面ガラス板の外面側には、ガラス飛散防止のための樹脂フィルムを貼り合わせ、その表面には帯電防止のための導電性膜とコントラストを向上する低反射膜が形成されている。
【００３３】
この電子放出素子の動作は、テレビ受像用チューナからの同期信号を分離し、シフトレジスタ、ラインメモリを経て変調信号が出力される。また、制御回路を経て走査信号が出力される。これらの信号が、フレキシブルボードを経て後面ガラス板のＹ方向配線とＸ方向配線とに出力される。Ｘ方向配線とＹ方向配線間に十数［ｖ］の電圧が掛けられると、電子放出素子から電子が放出される。更に、前面ガラス板の真空空隙側のメタルバック膜に外部高圧電源から供給された数［ｋｖ］の＋電位により、放出電子が加速されて蛍光体膜に衝突して発光を起こす。以上の動作により画像を表示することができる。
【００３４】
図４、図５、図６は実施形態１の表示装置の背面側機構を示す図である。特に、図４はスピーカ部収納状態を表し、図５はスピーカ部展開状態を表わし、図６はスピーカ回転状態を表わしている。
【００３５】
図４、図５、図６において、１５は左右２個所に設けられ、左上支持棒６、右上支持棒７を滑動可能に支持するためのスライドユニットであり、内部に滑りを良くするボールと潤滑剤（不図示）を備えている。１６は左下支持棒８及び右下支持棒９の先端部に設けられたラックギア部である。１７はラックギア部１６と噛み合う、左右２個所に配置されたピニオンギアである。１８は左下支持棒８と右下支持棒９を案内するためのガイドローラである。１９は左右に配置された左スピーカ部２、右スピーカ部３を水平移動するための展開用モータであり、位置検出用のエンコーダを付加した構造となっている。２０は展開用モータ１９に電気を供給するための出力ケーブルである。
【００３６】
２１は左スピーカ部２、右スピーカ部３の動作を制御するためのスピーカ部動作制御回路である。２２は左スピーカ部２をチルト動作させるモータへ電気を供給するための出力ケーブルである。２３は左スピーカ部２のスピーカ用音声出力ケーブルであり、左上支持棒６、右上支持棒７内部を貫通し左スピーカ部２に接続され、もう一方が図には示さないが、本表示装置内部に設置された音声制御回路と接続されている。２４は右スピーカ部３のスピーカ用音声出力ケーブルであり、左上支持棒６、右上支持棒７内部を貫通し右スピーカ部３に接続され、もう一方が図には示さないが、本表示装置内部に設置された音声制御回路と接続されている。
【００３７】
２５はロックピン１３を係止するための係止ユニットであり、電磁ソレノイドを利用して動作する構造である。２６は係止ユニット２５へ電気を供給する出力ケーブルであり、一方は先のスピーカ部動作制御回路２１に接続されている。２７は画像表示部１の左右に設けられたスピーカ部回転軸１２の逃げ部である。２８は左スピーカ部ベース１０、右スピーカ部ベース１１に固定されて、左スピーカ部２、右スピーカ部３のチルト動作を行うためのチルト用モータであり、位置検出用のエンコーダを付加した構造となっている。
【００３８】
２９はモータの回転をギアの組み合わせで減速するための減速機構である。３０は左スピーカ部２、右スピーカ部３内部に固定されたギアボックスである。３１はギアボックス３０の内部に円周状に設けられたギアである。３２は左スピーカ部２、右スピーカ部３内部のギアボックス３０をモータ２８で低い摩擦で回転方向のガイドをするためのガイドボールである。３３は左スピーカ用音声出力ケーブル２３、右スピーカ用音声出力ケーブル２４を左スピーカ部２、右スピーカ部３内部に配線するためのケーブルガイドである。
【００３９】
図７は実施形態１の表示装置の電気ブロック図である。
【００４０】
図７において、４０は本表示装置の各種動作を外部から行うためのリモートコントローラである。４１はリモートコントローラ４０に内蔵した赤外線発光部であり、リモートコントローラ４０の操作に従って発生した電気信号を赤外線信号に変換した後、画像表示部１に向かって赤外線を発信する。４３は画像表示部１の前面側の赤外線受光窓５ａ内部に配置された赤外線検知部であり、（ＣＣＤ）固体撮像素子のエリアセンサを利用し、受信した赤外線信号をエリア毎の電気信号に変換後、増幅して信号出力を行う。４４は画像表示部１内部に配置された赤外線検知部制御回路であり、赤外線検知部４３の制御をはじめ、画像処理回路４５、リモートコントロールコード検知回路４６の制御をすることにより、受信した信号の識別、判定を行う。
【００４１】
４５は画像表示部１内部に配置された画像処理回路であり、受信した赤外線信号の発信位置をあらかじめ登録されたデータと比較し、スピーカ部動作制御回路２１へ画像表示装置制御部５３を介して結果を出力する。４６は画像表示部１内部に配置されたリモートコントロールコード検知回路であり、受信した赤外線信号のパルス幅などをあらかじめメモリしてあるデータと比較し、その結果（リモートコントローラ４０で操作した内容に合致する動作命令の電気信号）を画像表示装置制御部５３へ出力する。
【００４２】
４７は画像表示部１内部に配置されたチューナであり、放送信号の受信とその受信した信号の選択を行い、信号別に放送コード検知回路４８、音声制御回路４９、画像表示回路５１へ出力する。４８は画像表示部１内部に配置された放送コード検知回路であり、チューナ４７からの放送コードを含む信号を判断した結果をスピーカ部動作制御回路２１、音声制御回路４９へ出力する。４９は画像表示部１内部に配置された音声制御回路であり、チューナ４７からの音声信号を画像表示装置制御部５３からの制御信号に従って音質・音量を制御し、スピーカ駆動信号としてスピーカ５０へ出力する。
【００４３】
５０は左スピーカ部２および右スピーカ部３の内部に配置されたスピーカであり、図には示さないがネットワーク回路を介した中高音用スピーカと低音用スピーカの組み合わせで構成される。５１は画像表示部１内部に配置された画像表示回路であり、画像表示装置制御回路５３によって制御され、チューナ４７からの映像信号を画像表示信号に変換する。５２は薄型の表面伝導型の電子放出素子を用いて画像を表示するディスプレイであり、画像表示回路５１からの画像表示信号によりカラー画像を表示する。５３はあらかじめ内蔵のプログラム若しくは視聴者の操作により、本表示装置を制御する画像表示装置制御部である。
【００４４】
図８は実施形態１の表示装置の操作を行うリモートコントローラの外観図であり、図９はそのリモートコントローラの部分拡大図である。
【００４５】
図８、図９において、６０はリモートコントローラ４０に内蔵されたテレビ操作用スイッチ群であり、画像表示部１の電源オンオフをはじめ放送チャンネルの選択などが、導電性ゴムを利用した押しボタンで操作可能となっている。６１は左スピーカ部２、右スピーカ部３を手動動作する際の左右同時または左右選択するためのスピーカ操作左右切換スイッチである。特に、Ｒを押した状態では右スピーカ部３が動作可能となり、Ｌを押した状態では左スピーカ部２が動作可能となり、ＬとＲを同時に押した状態では左スピーカ部２、右スピーカ部３が同時動作可能となる導電性ゴムを利用した押しボタンを採用している。
【００４６】
６２は左スピーカ部２、右スピーカ部３を手動で展開方向に動作させるための展開動作スイッチであり、導電性ゴムを利用した押しボタンを押している間、前記動作が継続する。６３は左スピーカ部２、右スピーカ部３を手動で収納方向に動作させるための収納動作スイッチであり、導電性ゴムを利用した押しボタンを押している間、前記動作が継続する。６４は左スピーカ部２、右スピーカ部３を手動でチルト上方向に動作させるためのチルト上昇動作スイッチであり、導電性ゴムを利用した押しボタンを押している間、前記動作が継続する。
【００４７】
６５は左スピーカ部２、右スピーカ部３を手動でチルト下方向に動作させるためのチルト下降動作スイッチであり、導電性ゴムを利用した押しボタンを押している間、前記動作が継続する。６６はリモートコントローラ４０を操作する視聴者の最適位置に、左スピーカ部２、右スピーカ部３を自動的に動作し停止させる自動ユーザモードスイッチであり、導電性ゴムを利用した押しボタンを押した直後に左スピーカ部２、右スピーカ部３が動作を開始する。
【００４８】
６７は放送信号に含まれる音声に関係するコード（ステレオ放送、２か国語放送など）の指示に従って、その音声に最適なスピーカ配置を自動的に行うための受信信号自動モードスイッチであり、放送を受信中に導電性ゴムを利用した押しボタンを押した直後に左スピーカ部２、右スピーカ部３を自動的に動作し停止させる。６８は視聴者が最適な数種類のスピーカ配置を、プログラム登録し実行する際に使用するプログラム操作スイッチであり、導電性ゴムを利用した押しボタンを押した直後に各プログラム用ボタンを操作することで、登録や実行が行われる。
【００４９】
６９はプログラムを登録または実行する際の決定を行うためのプログラムセットスタートスイッチであり、選択したプログラム番号を決定したり、手動配置したスピーカ位置を選択したプログラム番号に登録決定する際に、この導電性ゴムを利用した押しボタンを押す。７０はプログラム番号を選択するためのプログラム選択スイッチであり、登録や実行の際にその導電性ゴムを利用した押しボタンを押す。７１はプログラムされた内容を消去するためのプログラム解除スイッチである。７２はリモートコントローラを操作している状態を表示する液晶表示器を利用したリモートコントロール表示部であり、画像表示部１の受信中のチャンネルや音量の表示の他、スピーカ動作に係わるプログラム番号の登録、実行の状態が表示される。８１は電源連動スイッチであり、連動状態では本画像表示装置の電源オンオフに連動して、左スピーカ部２、右スピーカ部３が前回視聴時の位置に復帰したり収納したりする。
【００５０】
図１０は実施形態１のリモートコントロール表示部の拡大図である。
【００５１】
図１０において、７３は表示装置の入力モードの選択表示部であり、テレビ放送の他に２系統のビデオ入力とテレビゲーム入力を備えている。図では、テレビ放送受信状態を表わしている。７４はテレビ放送の受信チャンネル表示部であり、リモートコントローラ４０のテレビ操作用スイッチ群６０で選択したチャンネルを表示する。７５は表示装置の音量表示部であり、テレビ操作用スイッチ群の中の音量調節スイッチ（不図示）の操作で設定した音量をグラフ表示する。７６は時計表示部である。
【００５２】
７７はスピーカ動作が受信信号自動モードであることを表示する受信自動表示部であり、リモートコントローラ４０の受信信号自動モードスイッチ６７を視聴者がオンすると点灯表示に変る。７８はスピーカ動作がプログラムモードであるかどうかを表示するためのプログラム状態表示部であり、視聴者がリモートコントローラ４０のプログラム操作スイッチ６８をオンすると点灯表示に変る。７９はスピーカ動作を登録したプログラムで実行させたり、新たにプログラムに登録する際に利用する、プログラム番号を表示するためのプログラム番号表示部であり、リモートコントローラ４０のプログラム選択スイッチ７０を視聴者が操作することにより選択されたプログラム番号が点灯表示される。８０はスピーカ動作をプログラムで実行させたり新たにプログラムに登録する際に、選択したプログラム番号が登録済みか未登録かを表示するためのプログラム登録表示部であり、図では、登録状態を表わしている。
【００５３】
尚、以上説明したリモートコントロール表示部７２は、白黒画像の反射型液晶表示器を利用しており、点灯表示は黒（反射光を遮断）、不点灯表示は白（反射光透過）をその液晶表示器の駆動回路（不図示）が駆動制御している。
【００５４】
次に、上記構成における構造と動作の特徴を順を追って説明する。
【００５５】
まず、左スピーカ部２と右スピーカ部３の回転構造について説明する。
【００５６】
左スピーカ部ベース１０にねじ止めされたモータ２８と左スピーカ部２に内蔵のギアボックス３０が回転可能に嵌合し、右スピーカ部ベース１１についても同様にモータ２８、ギアボックス３０の嵌合で回転可能となっている。この嵌合部には回転動作を円滑にするためのガイドボール３２が挿入されていて、更に、モータ２８のモータ軸先端の減速機構２９とギア３１が噛み合っている。
【００５７】
電気的には、モータ２８はスピーカ部動作制御回路２１から電力供給されて回転し、回転後の停止位置はモータ２８に内蔵のエンコーダ（不図示）の信号を該スピーカ部動作制御回路２１が受信し、その停止位置を記憶している。この構造において、モータ２８が回転すると減速機構２９によってゆっくりした回転がギア３１を介してギアボックス３０に伝達され、左スピーカ部２、右スピーカ部３がチルト動作を行う。減速機構により左スピーカ部２、右スピーカ部３を回転させるトルクが増大するため、小型で電力消費の少ないモータ２８が使用可能である。
【００５８】
次に、左スピーカ部２と右スピーカ部３の支持構造について説明する。
【００５９】
左スピーカ部ベース１０には、左上支持棒６と左下支持棒８がネジ止めまたは溶接にて固定されている。右スピーカ部ベース１１についても、同様に右上支持棒７と右下支持棒９が固定されている。更に、左上支持棒６と右上支持棒７は、画像表示部１の左右に配置されたスライドユニット１５に嵌合し、その内部の滑りを良くするボールと潤滑剤（不図示）の効果で円滑に移動が可能である。一方、左下支持棒８と右下支持棒９は、そのラックギア部１６が展開用モータ１９の回転軸に固着したピニオンギア１７と噛み合い、更に左下支持棒８、右下支持棒９のラックギア部１６の対向面をガイドローラ１８が挟み込む構造となっている。
【００６０】
電気的には、モータ１９はスピーカ部動作制御回路２１から電力供給されて回転し、回転後の停止位置はモータ１９に内蔵のエンコーダ（不図示）の信号を該スピーカ部動作制御回路２１が受信し、その停止位置を記憶している。この構造において、展開用モータ１９が回転すると上記ギアの組み合わせにより回転運動が直線運動に変えられ、更にピニオンギア１７とラックギア部１６の減速比の効果で、左スピーカ部２と右スピーカ部３はゆっくりと展開動作と収納動作を行うことが可能となっている。展開用モータ１９においても、上記減速効果とスライドユニット１５内部の低摩擦の効果で、より小型のモータを使用することができる。
【００６１】
次に、左スピーカ部２と右スピーカ部３の安全ロック構造について説明する。ロックピン１３は、左スピーカ部ベース１０、右スピーカ部ベース１１にカシメまたは溶接で固定されている。また、ロックピン１３の外周部は先端付近が根元よりも細くなっており、画像表示部１の左右側面に配置された略孔形状のロックピン嵌合部１４に嵌合し、更に、ロックピン１３の外周部に設けた係止用の溝、その溝に係止ユニット２５の先端部が飛び込み確実にロックピン１３を固定状態に保持する。係止ユニット２５は、電磁ソレノイドを利用して直線運動する構造で、かつロック状態（係止状態）、解除状態いずれの位置でも電磁ソレノイドへの電気供給無しにその位置で待機する、ばねを利用した構造（図示省略）のため、電力消費はわずかである。
【００６２】
次に、左スピーカ部２、右スピーカ部３の動作について説明を行う。
【００６３】
展開用モータ１９とチルト用モータ２８の動作と制御は、以下のように行われる。それぞれのモータの駆動電流は、スピーカ部動作制御回路２１から出力されるが、その出力のための命令は赤外線検知部制御回路４４、リモートコントロールコード検知回路４６、放送コード検知回路４８及び本体操作部５ｂの情報を判断する画像表示装置制御部５３のスピーカ動作命令信号によっている。
【００６４】
本発明の表示装置のスピーカ動作の操作方法には大きく分けて５通りある（操作方法詳細は、後述のリモートコントローラ操作説明を参照）。
【００６５】
一つ目は、視聴者がリモートコントローラ４０にて、左スピーカ部２、右スピーカ部３それぞれのスピーカを展開動作スイッチ６２をはじめとする手動ボタン類により任意の最適位置に移動する場合、及びプログラム操作スイッチ６８をはじめとするプログラムボタン類の操作で視聴者があらかじめ記憶させた任意の最適位置に移動する場合、以上のうちいずれの場合にも先の赤外線検知部制御回路４４、リモートコントロールコード検知回路４６よりスピーカ動作のための情報が発せられる。
【００６６】
スピーカ部動作制御回路２１内部には各モータ１９、２８のエンコーダからの左スピーカ部２、右スピーカ部３の位置データが内部メモリに保存されている。先のスピーカ動作命令信号が画像表示装置制御部５３から入力されると、その内部メモリから位置データを呼び出し比較し演算する。その演算結果を基に、係止ユニット２５と各モータ１９、２８に必要な電流を供給する。次に、各モータ１９、２８に内蔵のエンコーダの信号をスピーカ部動作制御回路２１が確認し、スピーカ位置データに合致した位置で各モータ１９、２８に供給している電流を遮断する。
【００６７】
二つ目は、視聴者が画像表示部１に内蔵の画像表示装置制御部５３に接続の本体操作部５ｂ内の操作ボタン（不図示）を操作した場合で、その詳細は上記リモートコントローラ操作と同様に、手動ボタン類やプログラムボタン類のいずれかを操作した場合に、画像表示装置制御部５３よりスピーカ動作命令信号が発せられ上記説明と同様にスピーカ部動作制御回路２１から係止ユニット２５と各モータ１９、２８に必要な電流を供給する。次に、各モータ１９、２８に内蔵のエンコーダの信号をスピーカ部動作制御回路２１が確認し、スピーカ位置データに合致した位置で各モータ１９、２８に供給している電流を遮断する。
【００６８】
三つ目は、本体操作部５ｂ内の操作ボタン（不図示）または、リモートコントローラ４０の電源連動スイッチ８１をオン状態にした場合である。この状態では本表示装置の電源オン時に、前回視聴時の左スピーカ部２、右スピーカ部３の配置に自動的に復帰し、電源オフ時に左スピーカ部２、右スピーカ部３が自動的に画像表示部１側に収納される。これらの動作は、スピーカ部動作制御回路２１に内蔵の各モータのエンコーダ位置データの書き込みと読み出し機能（不図示）とそのデータに基づいて動作する。
【００６９】
四つ目は、リモートコントローラ４０の受信信号自動モードスイッチ６７、もしくは本体操作部５ｂの受信信号自動モードスイッチ（不図示）を操作した場合である。図１１の動作フロー図を利用して、更に説明を加える。画像表示装置制御部５３が赤外線検知部制御回路４４とリモートコントロールコード検知回路４６の情報、もしくは本体操作部５ｂの情報いずれかから「受信信号自動モード」と決定すると（ステップＳ１０１）、次に、放送コード検知回路４８が受信中の放送コード情報をチューナ４７から取り込み、その情報信号に含まれるデータを内部のメモリから呼び出したデータと比較し、合致した「音声出力部相対位置と音声制御」の情報を画像表示装置制御部５３に出力する（ステップＳ１０２、ステップＳ１０３）。
【００７０】
画像表示装置制御部５３は、該情報を基に左スピーカ部２、右スピーカ部３を適正配置にすべく、スピーカ動作命令と位置データの信号をスピーカ部動作制御回路２１に伝達する。それにより、上記説明と同様にスピーカ部動作制御回路２１から係止ユニット２５と各モータ１９、２８に必要な電流を供給する。次に、各モータ１９、２８に内蔵のエンコーダの信号をスピーカ部動作制御回路２１が確認し、スピーカ位置データに合致した位置で各モータ１９、２８に供給している電流を遮断する。同時に画像表示装置制御部５３は該情報を基に各スピーカ５０を適正音声にすべく、スピーカ音声制御用データを音声制御回路４９へ伝達する。それにより、音声制御回路４９から各スピーカ５０への音声信号が変更される。
【００７１】
五つ目は、リモートコントローラ４０の自動ユーザモードスイッチ６６を操作した場合である。図１２の動作フロー図を利用して、更に説明を加える。赤外線検知部制御回路４４からのエリアセンサ信号に含まれるリモートコントロールコードを、リモートコントロールコード検知回路４６の判断により「自動ユーザモード」と判断すると（ステップＳ２０１）、赤外線検知部制御回路４４はエリアセンサを利用した赤外線検知部４３からの信号出力を画像処理回路４５に画像データとして伝送し、更に画像処理回路４５はその受信した画像データをあらかじめ登録されたデータと照合してリモートコントローラ４０の発信位置を確定し（ステップＳ２０２）、その位置情報は赤外線検知部制御回路４４から画像表示装置制御部５３へ送られる。
【００７２】
画像表示装置制御部５３は、あらかじめ登録されたリモートコントローラ４０の発信位置に最適な左スピーカ部２、右スピーカ部３の配置データ（スピーカ位置設定データ）とスピーカ動作命令をスピーカ部動作制御回路２１へ出力する（ステップＳ２０３）。それにより、上記説明と同様にスピーカ部動作制御回路２１から係止ユニット２５と各モータ１９、２８に必要な電流を供給する。次に、各モータ１９、２８に内蔵のエンコーダの信号をスピーカ部動作制御回路２１が確認し、スピーカ位置データに合致した位置で各モータ１９、２８に供給している電流を遮断する。
【００７３】
ここで、リモートコントローラ４０の発信位置を確定する手段について、図１３を用いて更に詳しく説明する。
【００７４】
赤外線検知部４３は、エリアセンサであるＣＣＤ４３ｂとレンズ光学系とからなり、ＣＣＤ４３ｂ表面に赤外光が結像するような構造となっている。ＣＣＤ４３ｂでは多数の画素が行列状に配置され各画素の各々が受光した光の光量に応じた電荷を蓄積し、この電荷を所定時に順次転送するように構成されている。電荷は微弱なアナログ信号であり、増幅回路４３ａで増幅された増幅画像信号として赤外線検知部制御回路４４へ出力される。以上の動作は、赤外線検知部制御回路４４の制御により動作する。
【００７５】
赤外線検知部制御回路４４は、ＣＣＤ駆動回路４４ｄ、同期信号発生回路４４ｅ、Ａ／Ｄ変換器４４ｃ、メモリ制御回路４４ｆ、制御部（ＣＰＵ）４４ｂ、不揮発性メモリ４４ａで構成されている。ＣＣＤ駆動回路４４ｄは水晶発振器を有し、これを利用したクロック信号はＡ／Ｄ変換のタイミングを得るためにＡ／Ｄ変換器４４ｃに入力され、同時に同期信号発生回路４４ｅにも入力される。
【００７６】
同期信号発生回路４４ｅでは、このクロック信号に同期する水平同期信号と垂直同期信号が生成されＣＣＤ駆動回路４４ｄに出力される。ＣＣＤ駆動回路４４ｄでは更に、ＣＣＤ水平駆動パルスとＣＣＤ垂直駆動パルスが出力され、ＣＣＤでの電荷の蓄積と転送が制御される。また、ＣＣＤ駆動回路４４ｄでは、クロック信号に水平同期信号と垂直同期信号を複合した複合クロック信号を生成し、メモリ制御回路４４ｆと制御部４４ｂに出力する。
【００７７】
メモリ制御回路４４ｆは、アドレスカウンタ４４ｆ１を有しており、画像処理回路４５内のメインメモリ４５ｃ上での画像データの書き込み、読み出しのアドレスを決定する。制御部４４ｂはアドレスカウンタ４４ｂ１を有しており、複合クロック信号に基づき、後述するしきい値データを不揮発性メモリ４４ａ上で書き込み、読み出しの際のアドレスを決定する。また、Ａ／Ｄ変換器４４ｃは、クロック信号に基づいて増幅回路４３ａからのアナログ増幅画像信号をデジタル画像信号に変換し、画像処理回路４５の二値化回路４５ａに出力する。一方、不挿発性メモリ４４ａには、画像データの読み取りの際に利用するしきい値データが格納されていて、制御部４４ｂにより制御される。
【００７８】
画像処理回路４５は、二値化回路４５ａ、シリアル／パラレル変換回路４５ｂ及びメインメモリ４５ｃで構成されている。二値化回路４５ａでは、Ａ／Ｄ変換器４４ｃからのデジタル画像信号が、赤外線検知部制御回路４４の制御部４４ｂが読み出した不揮発性メモリ４４ａのしきい値データと比較されて、画像二値化データとして出力される。シリアル／パラレル変換回路４５ｂでは、二値化回路４５ａからの画像二値化データが入力されパラレルデータに変換される。メインメモリ４５ｃでは、パラレルデータが先の赤外線検知部制御回路４４のメモリ制御回路４４ｆの定めるアドレス４５ｃ１に書き込まれる。１画面分のデータが格納されたメインメモリ４５ｃからは、赤外線検知部制御回路４４のメモリ制御回路４４ｆの定めるアドレスに従って、１画面分の画像データが順次読み出され赤外線検知部制御回路４４の制御部４４ｂに入力される。制御部４４ｂの演算部４４ｂ３では、該１画面分の画像データは画像処理後、デコーダ４４ｂ２によるスピーカ部位置データに変換され、画像表示装置制御部５３に出力される。
【００７９】
次に、リモートコントロール４０のスピーカ操作スイッチ類を使用して、左スピーカ部２、右スピーカ部３の動作をさせる場合の操作方法について説明を加える。
【００８０】
１）手動操作（すべて画像表示部１の赤外線の受光窓５ａに赤外線発光部４１を向けて行う）
▲１▼スピーカ操作左右切換スイッチ６１のうち、左右いずれか（ＬまたはＲ位置）、または左右両方のスイッチを選択して押し続ける。
【００８１】
▲２▼▲１▼動作を続行しつつ、展開動作スイッチ６２または収納動作スイッチ６３いずれかを押して、左スピーカ部２、右スピーカ部３の位置を決める。
【００８２】
▲３▼▲１▼動作を続行しつつ、チルト上昇動作スイッチ６４またはチルト下降動作スイッチ６５いずかを押して左スピーカ部２、右スピーカ部３のチルト角度を決める。尚、左スピーカ部２、右スピーカ部３が収納状態では、このチルト動作のスイッチ６４、６５は無効となる。
【００８３】
２）自動ユーザモード
▲１▼画像表示部１の赤外線の受光窓５ａに赤外線発光部４１を向けて自動ユーザモードスイッチ６６を押す。以上の操作で、左スピーカ部２、右スピーカ部３が自動的に動作して、リモートコントローラ４０を持つ視聴者に対する最適位置にて停止する。
【００８４】
３）受信信号自動モード
▲１▼画像表示部１の赤外線の受光窓５ａに赤外線発光部４１を向けて受信信号自動モードスイッチ６７を押す。受信自動表示部７７が点灯状態になる。左スピーカ部２、右スピーカ部３が自動的に動作して、受信中の放送の最適位置にて停止する。更に、音声制御回路４９の働きで左右の音のバランスや音量が最適状態に変更される。尚、この最適位置は先に説明したように、放送電波に含まれる放送コード（ステレオ放送、モノラル放送、二カ国語放送などの区別を信号コード化）によって決められる。
【００８５】
４）プログラム実行
▲１▼プログラム操作スイッチ６８を押す。プログラム状態表示部７８が点灯状態になる。
【００８６】
▲２▼視聴者が希望するプログラム番号を、プログラム番号表示部７９の点灯位置を確認しながらプログラム選択スイッチ７０押すことにより選択する。尚、プログラム選択スイッチ７０を１回押すごとに、プログラム番号表示は１→２→３→４→５→１→２…（以下繰り返し）と変更される。また、登録されていない番号を選択中はプログラム登録表示部８０が不点灯状態になる。
【００８７】
▲３▼画像表示部１の赤外線の受光窓５ａに赤外線発光部４１を向けて、プログラムセットスタートスイッチ６９を押す。以上の操作で、左スピーカ部２、右スピーカ部３が自動的に動作して、視聴者があらかじめ登録したプログラムの位置にて停止する。
【００８８】
５）プログラム登録
▲１▼プログラム操作スイッチ６８を押す。プログラム状態表示部７８が点灯状態になる。
【００８９】
▲２▼視聴者が登録したいプログラム番号を、プログラム番号表示部７９の点灯位置を確認しながらプログラム選択スイッチ７０押すことにより選択する。プログラム登録表示部８０が不点灯状態のプログラム番号は未登録であるので、その番号は登録可能である。
【００９０】
▲３▼１）の手動操作（すべて画像表示部１の赤外線の受光窓５ａに赤外線発光部４１を向けて行う）により、視聴者が最適と判断する配置に左スピーカ部２、右スピーカ部３を移動させる。
【００９１】
▲４▼画像表示部１の赤外線の受光窓５ａに赤外線発光部４１を向けて、プログラムセットスタートスイッチ６９を押す。プログラム登録表示部８０が点灯状態に変り登録完了が判断できる。
【００９２】
６）プログラム消去（解除）
▲１▼プログラム操作スイッチ６８を押す。プログラム状態表示部７８が点灯状態になる。
【００９３】
▲２▼視聴者が消去したいプログラム番号を、プログラム番号表示部７９の点灯位置を確認しながらプログラム選択スイッチ７０押すことにより選択する。
【００９４】
▲３▼プログラム解除スイッチ７１を押す。プログラム登録表示部８０が点滅状態になる。
【００９５】
▲４▼画像表示部１の赤外線の受光窓５ａに赤外線発光部４１を向けて、プログラムセットスタートスイッチ６９を押す。プログラム登録表示部８０が不点灯状態に変り、プログラム消去（解除）が判断できる。
【００９６】
７）電源連動オンオフ
▲１▼電源連動スイッチ８１をオン状態にて、テレビ操作用スイッチ群６０の中の電源スイッチをオンにした場合、前回まで視聴していたスピーカ配置に左スピーカ部２、右スピーカ部３が自動復帰する。
【００９７】
▲２▼電源連動スイッチ８１をオン状態にて、テレビ操作用スイッチ群６０の中の電源スイッチを電源オフにした場合、左スピーカ部２、右スピーカ部３が収納状態になる。
【００９８】
▲３▼電源連動スイッチをオフ状態では、▲１▼、▲２▼の自動動作は動作しない。
【００９９】
以上説明したように、実施形態１によれば、表面伝導型電子放出素子を用いた画像表示部を備え、スピーカ部が水平可動式支持部材と回転可動部材を備えてスピーカ面が前記画像表示面に対して任意の配置ができる構造を成し、そのスピーカ部可動手段にモータと、画像表示部とスピーカ部の固定手段に電磁ソレノイドを利用し、更にその可動手段、固定手段の制御をリモートコントローラに備えた操作ボタンによる遠隔操作または画像表示部に備えた操作ボタンによる、手動動作、プログラム動作、視聴者位置検出による自動動作、受信した放送電波を検知しての放送番組ごとの自動動作、更に本薄型テレビ装置の電源に連動動作のいずれかを視聴者が選択して最適のスピーカ配置と最適なスピーカ音響を実現できるシステムを提供できる。また、水平可動の支持構造に低摩擦構造を取り入れ、展開用モータに減速構造を採用することで消費電力の低減を図り、回転可動構造に低摩擦構造を取り入れ、チルト用モータに減速構造を採用することで同様に消費電力の低減を図り、また、前述のアクチュエータを利用した画像表示部とスピーカ部の固定構造により安全性も高められた。
【０１００】
また、スピーカ部が収納時は画像表示部と一体化されて省スペース性を有し、視聴者がテレビを見る際は、その位置でスピーカからの音をモニタしながら、リモートコントローラの遠隔操作にて、視聴者が臨場感を得る最適な任意の位置にスピーカ部を配置したり、視聴者の判断によらずテレビ放送電波に含まれる放送コードにより、視聴する番組ごとの最適位置にスピーカ部を自動配置しそれに合わせた音響特性を実現したり、リモートコントローラを操作する視聴者の位置に応じた最適位置にスピーカ部を自動配置したり、更に複数のスピーカ配置をプログラム登録と実行させてスピーカ部を自動配置することで、簡単に臨場感あるテレビ放送を視聴することが可能となる。
【０１０１】
尚、実施形態１においては、遠隔操作の手段として赤外線受信部にエリアセンサを利用したが、複数の例えば２個のセンサを画像表示部の左右端部付近に配置し、該２個のセンサで受信した各々の赤外線光量を比較計算する電気回路を赤外線受信部として代替えしても、同様の効果を得ることができる。
（実施形態２）
図１４は実施形態２の表示装置の電気ブロック図である。
【０１０２】
尚、図１４において、実施形態１と同じ構成要素については、同じ参照番号を付加し、その説明は省略する。
【０１０３】
図１４において、８５は本表示装置の各種動作を外部から行うためのリモートコントローラである。８６はリモートコントローラ８５に内蔵した無線の送信回路であり、リモートコントローラ８５の電気スイッチ操作に従って発生した電気信号を、コード化した無線信号に変換した後、画像表示部１に向かって電磁波を送信する。８７は画像表示部１の前面側内部に配置された電磁波の受信回路であり、受信した無線信号を電気信号に変換後、増幅して信号出力を行う。８８は画像表示部１内部に配置された受信回路制御回路であり、受信回路８７の制御をはじめ、リモートコントロールコード検知回路４６の制御をすることにより、受信した信号の識別、判定を行う。
【０１０４】
次に、実施形態２の表示装置の遠隔操作について説明を加える。
【０１０５】
視聴者がリモートコントローラ８５にて左スピーカ部２、右スピーカ部３の可変動作を行う場合、リモートコントローラ８５上で操作したスイッチの電気抵抗の変化を内部回路（不図示）が感知する。次に、あらかじめメモリに保存されているデータの中から電気スイッチに対応したデータを取り込み、そのデータを電気信号で無線の送信回路８６に送る。送信回路８６は、その電気信号を電磁波に変換して表示装置に送信する。
【０１０６】
一方、画像表示部１の受信回路８７は、受信した電磁波を受信回路制御回路８８の制御により、増幅した電気信号をリモートコントロールコード検知回路４６に出力する。リモートコントロールコード検知回路４６は、受信回路制御回路８８の制御により、リモートコントローラ８５からの電気信号であるかないかを、あらかじめメモリに記憶しているデータと照合する。その後、リモートコントローラ８５からの電気信号であると判断すると、同様に、あらかじめメモリに記憶している操作内容データと照合し、合致した操作内容データに対応するスピーカ動作命令信号をスピーカ部動作制御回路２１に出力する。その後の電気信号の流れは、実施形態１と同様であり、説明を省略する。
【０１０７】
以上の電気信号の流れにより、リモートコントローラ８５上の手動ボタン類、プログラムボタン類、または受信信号自動モードスイッチ６７の操作により、左スピーカ部２、右スピーカ部３を任意の最適位置に移動したり、複数の最適位置をプログラム登録させたり、また、複数の登録したプログラムから左スピーカ部２、右スピーカ部３の最適位置を選択したり、更に、受信中の放送コード情報から判断して自動的に放送番組に最適な位置に左スピーカ部２、右スピーカ部３を移動し配置できる。
【０１０８】
以上説明したように、実施形態２によれば、送信受信に利用する電磁波の性質上、リモートコントローラを画像表示部に向けずに操作をしても、画像表示制御や音声制御、スピーカ部配置制御が可能となる。
【０１０９】
つまり、、視聴者がいかなる姿勢でリモートコントローラを利用しても、確実に表示画像や臨場感ある音場を得ることが可能となる。
【０１１０】
尚、実施形態１、２で説明した構造とシステムは、パソコンのモニタ用スピーカや公共公告、情報案内用のモニタ用スピーカに応用可能であることは、言うまでもない。
【０１１１】
【発明の効果】
以上説明したように、本発明によれば、操作性が良く、いかなる視聴者にとっても臨場感あるスピーカ配置を有する表示装置及びその制御方法を提供できる。
【０１１２】
また、遠隔操作の取り扱いを更に便利にして、視聴者にとっても臨場感あるスピーカ配置を有する表示装置及びその制御方法を提供できる。
【図面の簡単な説明】
【図１】実施形態１の表示装置のスピーカ収納状態の外観を示す図である。
【図２】実施形態１の表示装置のスピーカ展開状態の外観を示す図である。
【図３】実施形態１の表示装置のスピーカ回転状態の外観を示す図である。
【図４】実施形態１の表示装置のスピーカ収納状態の背面側機構図である。
【図５】実施形態１の表示装置のスピーカ展開状態の背面側機構図である。
【図６】実施形態１の表示装置のスピーカ回転状態の背面側機構図である。
【図７】実施形態１の表示装置の電気ブロック図である。
【図８】実施形態１の表示装置の操作を行うリモートコントローラの外観図である。
【図９】実施形態１のリモートコントローラの部分拡大図である。
【図１０】実施形態１のリモートコントロール表示部の拡大図である。
【図１１】実施形態１の自動ユーザモードの動作を示すフロー図である。
【図１２】実施形態１の受信信号自動モードの動作を示すフロー図である。
【図１３】実施形態１のリモートコントローラの発信位置を確定するための回路構成を示す図である。
【図１４】実施形態２の表示装置の電気ブロック図である。
【符号の説明】
１  画像表示部
２  左スピーカ部
３  右スピーカ部
４  固定金具
５ａ  受光窓
５ｂ  本体操作部
６  左上支持棒
７  右上支持棒
８  左下支持棒
９  右下支持棒
１０  左スピーカ部ベース
１１  右スピーカ部ベース
１２  ロックレバーの係止部
１３  ロックピン
１４  ロックピン嵌合部
１５  ライドユニット
１６  ラックギア部
１７  ピニオンギア
１８  ガイドローラ
１９  展開用モータ
２０  出力ケーブル
２１  スピーカ部動作制御回路
２２  出力ケーブル
２３  左スピーカ用音声出力ケーブル
２４  右スピーカ用音声出力ケーブル
２５  係止ユニット
２６  出力ケーブル
２７  逃げ部
２８  チルト用モータ
２９  減速機構
３０  ギアボックス
３１  ギア
３２  ガイドボール
３３  ケーブルガイド
４０  リモートコントローラ
４１  赤外線発光部
４３  赤外線検知部
４４  赤外線検知部制御回路
４５  画像処理回路
４６  リモートコントロールコード検知回路
４７  チューナ
４８  放送コード検知回路
４９  音声制御回路
５０  スピーカ
５１  画像表示回路
５２  ディスプレイ
５３  画像表示部制御部
６０  テレビ操作スイッチ群
６１  スピーカ操作左右切換スイッチ
６２  展開動作スイッチ
６３  収納動作スイッチ
６４  チルト上昇動作スイッチ
６５  操作下降動作スイッチ
６６  自動ユーザモードスイッチ
６７  受信信号自動モードスイッチ
６８  プログラム操作スイッチ
６９  プログラムセットスタートスイッチ
７０  プログラム選択スイッチ
７１  プログラム解除スイッチ
７２  リモートコントロール表示部
７３  入力モードの選択表示部
７４  受信チャンネル表示部
７５  音量表示部
７６  時計表示部
７７  受信自動表示部
７８  プログラム状態表示部
７９  プログラム番号表示部
８０  プログラム登録表示部
８１  電源連動スイッチ
８５  リモートコントロール
８６  送信回路
８７  受信回路
８８  受信回路制御回路
【図１】
0003774587.tif 000002
【図２】
0003774587.tif 000003
【図３】
0003774587.tif 000004
【図４】
0003774587.tif 000005
【図５】
0003774587.tif 000006
【図６】
0003774587.tif 000007
【図７】
0003774587.tif 000008
【図８】
0003774587.tif 000009
【図９】
0003774587.tif 000010
【図１０】
0003774587.tif 000011
【図１１】
0003774587.tif 000012
【図１２】
0003774587.tif 000013
【図１３】
0003774587.tif 000014
【図１４】
0003774587.tif 000015